(57)【要約】【課題】  テレビジョン放送を視聴しながら携帯メールを作成する際に、テレビジョン放送の内容に対応する変換候補を優先的に表示することで、文字入力操作の容易化を図る。【解決手段】  テレビジョン放送の視聴中に文字入力が指定された場合、制御部１７は、現在、視聴しているテレビジョン放送の電子番組表を解析し、または、該テレビジョン放送に多重化されている文字情報を解析し、或いは該テレビジョン放送の音声を解析することで、該テレビジョン放送の放送内容を示すキーワードを抽出する。そして、ユーザに入力された文字に対応する変換候補のうち、上記キーワードに対応する変換候補を予測変換辞書メモリ１６から読み出して優先的に表示する。テレビジョン放送の内容に対応する変換候補を優先的に表示することで、現在、ユーザにより選択される可能性の高い変換候補を表示することができ、ユーザの文字入力操作を容易化することができる。【選択図】  図３
2006301693.tif 000002
【特許請求の範囲】
【請求項１】
入力された入力文字を検出する入力文字検出手段と、
少なくとも、上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段と、
現在、起動中のアプリケーションプログラムに対応するキーワードを検出するキーワード検出手段と、
上記入力文字検出手段で検出された入力文字に対応する変換候補を上記変換候補記憶手段から検索すると共に、この入力文字に対応して検索された変換候補のうち、上記キーワード検出手段で検出されたキーワードに対応する検索情報が付加された変換候補を抽出し、この抽出した上記キーワードに対応する検索情報が付加された変換候補を、上記入力文字に対応して検索された他の変換候補に優先して表示手段に表示する変換候補検索表示手段と
を有する文字入力装置。
【請求項２】
請求項１に記載の文字入力装置であって、
上記キーワード検出手段は、音楽プレーヤのアプリケーションプログラムで現在再生されている音楽データに付加されている楽曲情報に基づいて上記キーワードの検出を行うこと
を特徴とする文字入力装置。
【請求項３】
請求項１又は請求項２に記載の文字入力装置であって、
上記変換候補記憶手段に記憶されている各変換候補には、ユーザにより過去に選択された回数を示す選択回数情報が付加されて記憶されており、
上記変換候補検索表示手段は、上記抽出した上記キーワードに対応する検索情報が付加された変換候補を、上記変換候補記憶手段に記憶されている該各変換候補の上記選択回数情報に基づいて、選択回数が多い順に並べ替えたうえで上記表示手段に表示すること
を特徴とする文字入力装置。
【請求項４】
入力された入力文字を検出する入力文字検出手段と、
少なくとも上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段と、
現在受信中のテレビジョン放送或いはラジオ放送の放送内容に対応するキーワードを検出するキーワード検出手段と、
上記入力文字検出手段で検出された入力文字に対応する変換候補を上記変換候補記憶手段から検索すると共に、この入力文字に対応して検索された変換候補のうち、上記キーワード検出手段で検出されたキーワードに対応する検索情報が付加された変換候補を抽出し、この抽出した上記キーワードに対応する検索情報が付加された変換候補を、上記入力文字に対応して検索された他の変換候補に優先して表示手段に表示する変換候補検索表示手段と
を有する文字入力装置。
【請求項５】
請求項４に記載の文字入力装置であって、
上記キーワード検出手段は、
電子番組表解析手段で、上記現在受信中のテレビジョン放送或いはラジオ放送の放送内容に対応する電子番組表を解析することで、上記放送内容に対応するキーワードを検出し、及び／又は、
音声解析手段で、上記現在受信中のテレビジョン放送或いはラジオ放送の音声を解析することで、上記放送内容に対応するキーワードを検出し、及び／又は、
文字解析手段で、上記現在受信中のテレビジョン放送或いはラジオ放送に多重化されている文字情報を解析することで、上記放送内容に対応するキーワードを検出すること
を特徴とする文字入力装置。
【請求項６】
請求項４又は請求項５に記載の文字入力装置であって、
上記変換候補記憶手段に記憶されている各変換候補には、ユーザにより過去に選択された回数を示す選択回数情報が付加されて記憶されており、
上記変換候補検索表示手段は、上記抽出した上記キーワードに対応する検索情報が付加された変換候補を、上記変換候補記憶手段に記憶されている該各変換候補の上記選択回数情報に基づいて、選択回数が多い順に並べ替えたうえで上記表示手段に表示すること
を特徴とする文字入力装置。
【請求項７】
所望の文字の入力操作を行うための操作手段と、
上記操作手段を介して入力された入力文字を検出する入力文字検出手段と、
少なくとも、上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段と、
現在、起動中のアプリケーションプログラムに対応するキーワードを検出するキーワード検出手段と、
上記入力文字検出手段で検出された入力文字に対応する変換候補を上記変換候補記憶手段から検索すると共に、この入力文字に対応して検索された変換候補のうち、上記キーワード検出手段で検出されたキーワードに対応する検索情報が付加された変換候補を抽出し、この抽出した上記キーワードに対応する検索情報が付加された変換候補を、上記入力文字に対応して検索された他の変換候補に優先して表示手段に表示する変換候補検索表示手段と
を有する携帯端末装置。
【請求項８】
請求項７に記載の携帯端末装置であって、
音楽データの再生を行う音楽プレーヤ機能を有し、
上記キーワード検出手段は、上記音楽プレーヤ機能のアプリケーションプログラムで現在再生されている音楽データに付加されている楽曲情報に基づいて上記キーワードの検出を行うこと
を特徴とする携帯端末装置。
【請求項９】
請求項７又は請求項８に記載の携帯端末装置であって、
上記変換候補記憶手段に記憶されている各変換候補には、ユーザにより過去に選択された回数を示す選択回数情報が付加されて記憶されており、
上記変換候補検索表示手段は、上記抽出した上記キーワードに対応する検索情報が付加された変換候補を、上記変換候補記憶手段に記憶されている該各変換候補の上記選択回数情報に基づいて、選択回数が多い順に並べ替えたうえで上記表示手段に表示すること
を特徴とする携帯端末装置。
【請求項１０】
所望の文字の入力操作を行うための操作手段と、
入力された入力文字を検出する入力文字検出手段と、
少なくとも、上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段と、
テレビジョン放送を受信するテレビジョン放送受信手段、及び／又は、ラジオ放送を受信するラジオ放送受信手段と、
上記テレビジョン放送受信手段、或いは上記ラジオ放送受信手段で、現在受信中のテレビジョン放送或いはラジオ放送の放送内容に対応するキーワードを検出するキーワード検出手段と、
上記入力文字検出手段で検出された入力文字に対応する変換候補を上記変換候補記憶手段から検索すると共に、この入力文字に対応して検索された変換候補のうち、上記キーワード検出手段で検出されたキーワードに対応する検索情報が付加された変換候補を抽出し、この抽出した上記キーワードに対応する検索情報が付加された変換候補を、上記入力文字に対応して検索された他の変換候補に優先して表示手段に表示制御する変換候補検索表示手段と
を有する携帯端末装置。
【請求項１１】
請求項１０に記載の携帯端末装置であって、
上記キーワード検出手段は、
電子番組表解析手段で、上記現在受信中のテレビジョン放送或いはラジオ放送の放送内容に対応する電子番組表を解析することで、上記放送内容に対応するキーワードを検出し、及び／又は、
音声解析手段で、上記現在受信中のテレビジョン放送或いはラジオ放送の音声を解析することで、上記放送内容に対応するキーワードを検出し、及び／又は、
文字解析手段で、上記現在受信中のテレビジョン放送或いはラジオ放送に多重化されている文字情報を解析することで、上記放送内容に対応するキーワードを検出すること
を特徴とする携帯端末装置。
【請求項１２】
請求項１０又は請求項１１に記載の携帯端末装置であって、
上記変換候補記憶手段に記憶されている各変換候補には、ユーザにより過去に選択された回数を示す選択回数情報が付加されて記憶されており、
上記変換候補検索表示手段は、上記抽出した上記キーワードに対応する検索情報が付加された変換候補を、上記変換候補記憶手段に記憶されている該各変換候補の上記選択回数情報に基づいて、選択回数が多い順に並べ替えたうえで上記表示手段に表示すること
を特徴とする携帯端末装置。
【請求項１３】
入力された入力文字を検出する入力文字検出手段としてコンピュータを機能させ、
現在、起動中のアプリケーションプログラムに対応するキーワードを検出するキーワード検出手段としてコンピュータを機能させ、
コンピュータを上記入力文字検出手段として機能させることで検出された入力文字に対応する変換候補を、少なくとも、上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段から検索すると共に、この入力文字に対応して検索された変換候補のうち、コンピュータを上記キーワード検出手段として機能させることで検出されたキーワードに対応する検索情報が付加された変換候補を抽出し、この抽出した上記キーワードに対応する検索情報が付加された変換候補を、上記入力文字に対応して検索された他の変換候補に優先して表示手段に表示する変換候補検索表示手段としてコンピュータを機能させること
を特徴とする文字入力処理プログラム。
【請求項１４】
入力された入力文字を検出する入力文字検出手段としてコンピュータを機能させ、
現在受信中のテレビジョン放送或いはラジオ放送の放送内容に対応するキーワードを検出するキーワード検出手段としてコンピュータを機能させ、
コンピュータを上記入力文字検出手段として機能させることで検出された入力文字に対応する変換候補を、少なくとも、上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段から検索すると共に、この入力文字に対応して検索された変換候補のうち、コンピュータを上記キーワード検出手段として機能させることで検出されたキーワードに対応する検索情報が付加された変換候補を抽出し、この抽出した上記キーワードに対応する検索情報が付加された変換候補を、上記入力文字に対応して検索された他の変換候補に優先して表示手段に表示する変換候補検索表示手段としてコンピュータを機能させること
を特徴とする文字入力処理プログラム。
【発明の詳細な説明】
【技術分野】
【０００１】
本発明は、例えば携帯電話機，ＰＨＳ電話機（PHS：Personal Handyphone System）、及びＰＤＡ装置（PDA：Personal Digital Assistant），ノート型、デスクトップ型のパーソナルコンピュータ装置等に設けて好適な文字入力装置、携帯端末装置及び文字入力処理プログラムに関し、特に入力された文字に対応する変換候補を予測して辞書から読み出す際に、起動中のアプリケーションプログラムや、テレビジョン放送、ラジオ放送等の放送内容に対応する変換候補を優先的に上記辞書から読み出して表示する文字入力装置、携帯端末装置及び文字入力処理プログラムに関する。
【背景技術】
【０００２】
従来、特開２０００−３３９３０４号の公開特許公報（特許文献１）に、入力された文字に対応する変換候補を表示する際に、ユーザの所望の変換候補のみを表示可能としたかな漢字変換装置が開示されている。
【０００３】
このかな漢字変換装置は、入力した文字に対して複数表示される変換候補の中から、ユーザが所望の変換候補を予め指定しておく。このユーザにより指定された変換候補を示す情報は、変換候補絞込み情報として記憶され、変換候補制御部は、後に文字入力がなされると、この入力された文字に対応する変換候補のうち、上記変換候補絞込み情報に対応する変換候補のみを表示する。これにより、入力された文字に対応する複数の変換候補のうち、予めユーザにより指定された変換候補のみを表示可能となっている。
【０００４】
ここで、今日において、テレビジョン放送の受信を可能とするテレビアプリケーションプログラムを備えた携帯電話機が知られている。また、いわゆるマルチジョブが可能な携帯電話機も知られており、このマルチジョブが可能な携帯電話機の場合、例えばテレビアプリケーションプログラムを用いてテレビジョン放送を視聴しながら携帯メールの作成が可能となっており、また、音楽プレーヤのアプリケーションプログラムを用いて音楽を聴きながら携帯メールの作成が可能となっている。
【０００５】
【特許文献１】特開２０００−３３９３０４号公報（第３頁：図１、図２）
【発明の開示】
【発明が解決しようとする課題】
【０００６】
しかし、従来の携帯電話機では、携帯メールの作成時等に、入力された文字に対する変換候補を表示する際に、ユーザにより過去に選択された頻度が高い順に各変換候補を辞書から読み出して表示していた。この変換候補の表示形態は、起動しているアプリケーションプログラムや、視聴しているテレビジョン放送や音楽の内容にかかわらず同様であり、例えばテレビアプリケーションプログラムを起動してテレビジョン放送を視聴しながら携帯メールを作成している場合でも、上記ユーザにより過去に選択された頻度が高い順に各変換候補が表示され、また、音楽プレーヤのアプリケーションプログラムを起動して音楽を聴きながら携帯メールを作成している場合でも、上記ユーザにより過去に選択された頻度が高い順に各変換候補が表示される。
【０００７】
ユーザにより過去に選択された頻度が高い順に各変換候補を表示することで、入力された文字に対して選択される可能性の高い変換候補を表示することができるのであるが、場合によっては、この表示形態が使い勝手が悪いものとなる。
【０００８】
例えば、テレビジョン放送を視聴しながら携帯メールを作成する場合、現在、視聴しているテレビジョン放送の内容について携帯メールを作成する場合も多々あることが考えられる。このような場合に、ユーザにより過去に選択された頻度が高い順に各変換候補を表示したのでは、ユーザにより選択される可能性の低い変換候補が優先的に表示されるおそれがある。
【０００９】
特許文献１に開示されているかな漢字変換装置の場合も同様であり、ユーザにより一度指定されると、起動しているアプリケーションプログラムや、視聴しているテレビジョン放送や音楽の内容にかかわらず、予めユーザにより指定されている変換候補が表示されることとなるため、やはり、場合によっては、ユーザにより選択される可能性の低い変換候補が優先的に表示されるおそれがある。
【００１０】
本発明は、上述の課題に鑑みてなされたものであり、優先的に表示する変換候補を、起動しているアプリケーションプログラムや、テレビジョン放送、ラジオ放送の放送内容等に応じて変更することで、常にユーザにより選択される可能性の高い変換候補を表示することができるような文字入力装置、携帯端末装置及び文字入力処理プログラムの提供を目的とする。
【課題を解決するための手段】
【００１１】
本発明に係る文字入力装置は、上述の課題を解決するための手段として、
入力された入力文字を検出する入力文字検出手段と、
少なくとも、上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段と、
現在、起動中のアプリケーションプログラムに対応するキーワードを検出するキーワード検出手段と、
上記入力文字検出手段で検出された入力文字に対応する変換候補を上記変換候補記憶手段から検索すると共に、この入力文字に対応して検索された変換候補のうち、上記キーワード検出手段で検出されたキーワードに対応する検索情報が付加された変換候補を抽出し、この抽出した上記キーワードに対応する検索情報が付加された変換候補を、上記入力文字に対応して検索された他の変換候補に優先して表示手段に表示する変換候補検索表示手段と
を有する。
【００１２】
また、本発明に係る文字入力装置は、上述の課題を解決するための手段として、
入力された入力文字を検出する入力文字検出手段と、
少なくとも上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段と、
現在受信中のテレビジョン放送或いはラジオ放送の放送内容に対応するキーワードを検出するキーワード検出手段と、
上記入力文字検出手段で検出された入力文字に対応する変換候補を上記変換候補記憶手段から検索すると共に、この入力文字に対応して検索された変換候補のうち、上記キーワード検出手段で検出されたキーワードに対応する検索情報が付加された変換候補を抽出し、この抽出した上記キーワードに対応する検索情報が付加された変換候補を、上記入力文字に対応して検索された他の変換候補に優先して表示手段に表示制御する変換候補検索表示手段と
を有する。
【００１３】
また、本発明に係る携帯端末装置は、上述の課題を解決するための手段として、
所望の文字の入力操作を行うための操作手段と、
上記操作手段を介して入力された入力文字を検出する入力文字検出手段と、
少なくとも、上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段と、
現在、起動中のアプリケーションプログラムに対応するキーワードを検出するキーワード検出手段と、
上記入力文字検出手段で検出された入力文字に対応する変換候補を上記変換候補記憶手段から検索すると共に、この入力文字に対応して検索された変換候補のうち、上記キーワード検出手段で検出されたキーワードに対応する検索情報が付加された変換候補を抽出し、この抽出した上記キーワードに対応する検索情報が付加された変換候補を、上記入力文字に対応して検索された他の変換候補に優先して表示手段に表示する変換候補検索表示手段と
を有する。
【００１４】
また、本発明に係る携帯端末装置は、上述の課題を解決するための手段として、
所望の文字の入力操作を行うための操作手段と、
入力された入力文字を検出する入力文字検出手段と、
少なくとも、上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段と、
テレビジョン放送を受信するテレビジョン放送受信手段、及び／又は、ラジオ放送を受信するラジオ放送受信手段と、
上記テレビジョン放送受信手段、或いは上記ラジオ放送受信手段で、現在受信中のテレビジョン放送或いはラジオ放送の放送内容に対応するキーワードを検出するキーワード検出手段と、
上記入力文字検出手段で検出された入力文字に対応する変換候補を上記変換候補記憶手段から検索すると共に、この入力文字に対応して検索された変換候補のうち、上記キーワード検出手段で検出されたキーワードに対応する検索情報が付加された変換候補を抽出し、この抽出した上記キーワードに対応する検索情報が付加された変換候補を、上記入力文字に対応して検索された他の変換候補に優先して表示手段に表示制御する変換候補検索表示手段と
を有する。
【００１５】
また、本発明に係る文字入力処理プログラムは、上述の課題を解決するために、
入力された入力文字を検出する入力文字検出手段としてコンピュータを機能させ、
現在、起動中のアプリケーションプログラムに対応するキーワードを検出するキーワード検出手段としてコンピュータを機能させ、
コンピュータを上記入力文字検出手段として機能させることで検出された入力文字に対応する変換候補を、少なくとも、上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段から検索すると共に、この入力文字に対応して検索された変換候補のうち、コンピュータを上記キーワード検出手段として機能させることで検出されたキーワードに対応する検索情報が付加された変換候補を抽出し、この抽出した上記キーワードに対応する検索情報が付加された変換候補を、上記入力文字に対応して検索された他の変換候補に優先して表示手段に表示する変換候補検索表示手段としてコンピュータを機能させる。
【００１６】
また、本発明に係る文字入力処理プログラムは、上述の課題を解決するために、
入力された入力文字を検出する入力文字検出手段としてコンピュータを機能させ、
現在受信中のテレビジョン放送或いはラジオ放送の放送内容に対応するキーワードを検出するキーワード検出手段としてコンピュータを機能させ、
コンピュータを上記入力文字検出手段として機能させることで検出された入力文字に対応する変換候補を、少なくとも、上記入力文字を所望の表記の文字に変換するための複数の変換候補と、該各変換候補にそれぞれ付され、該各変換候補の中から所定のキーワードに対応する変換候補を検索するための検索情報とが記憶された変換候補記憶手段から検索すると共に、この入力文字に対応して検索された変換候補のうち、コンピュータを上記キーワード検出手段として機能させることで検出されたキーワードに対応する検索情報が付加された変換候補を抽出し、この抽出した上記キーワードに対応する検索情報が付加された変換候補を、上記入力文字に対応して検索された他の変換候補に優先して表示手段に表示する変換候補検索表示手段としてコンピュータを機能させる。
【００１７】
このような本発明は、入力文字に対応する変換候補の中から、現在、起動中のアプリケーションプログラム、或いは現在受信中のテレビジョン放送やラジオ放送の放送内容に対応する変換候補を検索し、この変換候補を他の変換候補に優先して表示する。
【発明の効果】
【００１８】
本発明は、入力文字に対応する変換候補の中から、現在、起動中のアプリケーションプログラム、或いは現在受信中のテレビジョン放送やラジオ放送の放送内容に対応する変換候補を検索し、この変換候補を他の変換候補に優先して表示することにより、現在、ユーザにより選択される可能性の高い変換候補を優先的に表示することができ、ユーザの文字入力操作を容易化することができる。
【００１９】
すなわち、例えばプロ野球中継を視聴しながら携帯メールを作成する場合、携帯メールの内容が野球に関連するものとなる可能性が高いのであるが、このような場合、当該携帯電話機においては、「野球」に関連する変換候補を優先的に表示することができるため、ユーザの文字入力操作を容易化することができる。
【００２０】
また、本発明は、現在、起動中のアプリケーションプログラムや現在受信中のテレビジョン放送或いはラジオ放送の放送内容に応じた変換候補を検索して表示する際に、該検索された各変換候補を、過去の選択回数順に並べ替えて表示する。これにより、上記検索された各変換候補を、ユーザにより、より選択される可能性の高い順に並べ替えて表示することができる。このため、ユーザの文字入力操作のさらなる容易化を図ることができる。
【発明を実施するための最良の形態】
【００２１】
本発明は、携帯電話機に適用することができる。
【００２２】
［携帯電話機の全体構成］
図１に、本発明の実施の形態となる携帯電話機のブロック図を示す。この図１に示すように、当該実施の形態の携帯電話機は、携帯事業者のコミュニケーションネットワークに接続された基地局との間でデータの送受信を行うアンテナ１及び通信回路２と、着信音，受話音声，動画ファイルの音声，音楽データの音声，テレビジョン放送やラジオ放送の音声出力等を得るためのスピーカ部３と、送話音声等を集音するマイクロホン部４と、発着信電話番号、送信元，送信先となるユーザの名前、電話や携帯メールの発着信履歴、電話帳，アドレス帳、スケジュール帳、送受信した携帯メールの文章、及びテレビジョン放送の画像等を表示する表示部５とを有している。
【００２３】
また、この携帯電話機は、所望の電話番号や文字の入力等を行うための複数のキーが設けられた操作部６と、電話着信や携帯メールの着信等を光でユーザに知らせるための発光部７（LED：Light Emitting Diode）と、所望の被写体の静止画及び動画を撮像するためのカメラ部８と、電話着信や携帯メールの着信等を当該携帯電話機の筐体を振動させることでユーザに知らせるためのバイブレーションユニット９と、所望のチャネルのテレビジョン放送を受信するためのテレビジョンアンテナ１０及びテレビジョンユニット１１と、所望のラジオ放送局のラジオ放送を受信するためのラジオアンテナ１２及びラジオ受信ユニット１３とを有している。
【００２４】
なお、この例では、テレビジョンユニット１１及びラジオ受信ユニット１３により、テレビジョン放送及びラジオ放送がそれぞれ受信可能とするが、いずれか一方のユニットのみを設け、テレビジョン放送のみ、或いはラジオ放送のみ受信可能としてもよい。
【００２５】
また、この携帯電話機は、通信処理プログラム（コミュニケーションプログラム）の他、上記テレビジョンユニット１１で受信されたテレビジョン信号の信号処理を行うためのテレビジョン信号処理プログラムと、上記ラジオ受信ユニット１３で受信されたラジオ信号の信号処理を行うためのラジオ信号処理プログラムと、テレビジョン放送やラジオ放送に重畳されている文字情報（文字放送）の解析を行うための文字解析プログラムと、テレビジョン放送やラジオ放送の音声を解析する音声解析プログラムと、所定のＷｅｂサイトからダウンロードしたテレビジョン放送やラジオ放送の電子番組表（ＥＰＧ）と、この電子番組表の解析を行うＥＰＧ解析プログラムと、現在起動中のアプリケーションプログラムや、ユーザにより入力された文字に対応する変換候補を表示する際に、上記解析された文字や音声に対応する変換候補を優先的に表示するための文字入力処理プログラム等が記憶されたメモリ１４とを有している。
【００２６】
また、この携帯電話機は、現在、起動中のアプリケーションプログラムに対応するキーワードや、上記文字解析プログラム、音声解析プログラム、ＥＰＧ解析プログラムにより解析された文字や音声に対応するキーワードを記憶するキーワード記憶部１５と、ユーザにより入力された文字に対応する多数の変換候補が記憶された予測変換辞書メモリ１６と、当該携帯電話機全体の動作制御を行う制御部１７とを有している。
【００２７】
上記予測変換辞書メモリ１６には、図２に示すように、ユーザにより入力された文字に対応する各変換候補が、各キーワードに対応付けされて記憶されている。具体的には、この例の場合、ユーザにより入力される「い」の入力文字に対する変換候補としては、「イエローカード」、「イタリア」、「インフレ」、「インサイダー情報」、「インターネット」・・・等の各変換候補が記憶されている。同様に、ユーザにより入力される「お」の入力文字に対する変換候補としては、「オウンゴール」、「オフサイド」、「オーストラリア」、「オーバースロー」、「オーバーフロー」・・・等の各変換候補が記憶されている。
【００２８】
これら各変換候補には、現在起動中のアプリケーションプログラムに対応するキーワードや上記文字や音声を解析することで得られたキーワードに対応する変換候補を検索するための検索用タグがそれぞれ付されている。例えば、サッカー競技におけるペナルティを示す「イエローカード」の変換候補には、「サッカー」とのキーワードに基づいて検索可能なように「サッカー」の検索用タグが付されている。同様に、野球競技におけるピッチャーの投球フォームを示す「オーバースロー」の変換候補には、「野球」とのキーワードに基づいて検索可能なように「野球」の検索用タグが付されている。
【００２９】
また、複数の検索用タグが付された変換候補も存在する。例えば「イタリア」の国は、サッカー競技が盛んな国あり、また、旅行先としても人気のある国である。このため、この「イタリア」の変換候補に対しては、「サッカー」とのキーワードに基づいて検索可能なように「サッカー」の検索用タグが付されると共に、「旅行」とのキーワードに基づいても検索可能なように「旅行」の検索用タグが付されている。
【００３０】
同様に、「ファウル」の語句は、サッカー競技においては反則行為を意味し、野球競技においてはフェアエリア外にボールが飛んだことを意味する。このため、この「ファウル」の変換候補に対しては、「サッカー」とのキーワードに基づいて検索可能なように「サッカー」の検索用タグが付されると共に、「野球」とのキーワードに基づいても検索可能なように「野球」の検索用タグが付されている。
【００３１】
［変換候補の表示動作］
このように、予測変換辞書メモリ１６に記憶されている各変換候補には、それぞれ検索用タグが付されており、制御部１７は、以下に説明するように、ユーザにより入力された文字に対応する変換候補を表示する際に、現在起動中のアプリケーションプログラムに対応するキーワードや上記文字や音声を解析することで得られたキーワードに基づいて予測変換辞書メモリ１６を検索し、上記キーワードに対応する検索用タグが付された変換候補を優先的に表示制御するようになっている。
【００３２】
図３のフローチャートに、この変換候補の表示動作の流れを示す。例えば、携帯メールの文書作成時や、スケジュール帳や電話帳の作成時等の「文字の入力時」となると、制御部１７がメモリ１４に記憶されている文字入力処理プログラムに基づいてこの図３に示すフローチャートをスタートさせ、ステップＳ１から処理を実行する。
【００３３】
ステップＳ１では、ユーザが操作部６を操作することで入力された文字を制御部１７が検出し、ステップＳ２に処理を進める。ステップＳ２では、制御部１７が、現在、メモリ１４に記憶されている音楽プレーヤプログラムに基づいて音楽プレーヤの起動中であるか否かを判別する。
【００３４】
すなわち、この携帯電話機の場合、メモリ１４や図示しない外付けメモリに記憶された音楽データを再生し、この再生出力を、スピーカ部３、或いは図示しないイヤホン端子を介してイヤホン装置（或いはヘッドホン装置）から得る、いわゆる音楽プレーヤ機能を有している。
【００３５】
また、この携帯電話機の場合、複数のアプリケーションプログラムを並行して実行する、いわゆるマルチジョブが可能となっており、例えば音楽プレーヤで音楽を聴きながら携帯メールを作成したり、テレビジョン放送やラジオ放送を視聴しながら携帯メールを作成することが可能となっている。
【００３６】
制御部１７は、ステップＳ１で文字の入力を検出すると、ステップＳ２において、現在、音楽プレーヤの起動中であるか否かを判別し、音楽プレーヤが起動中である場合は処理をステップＳ１３に進め、音楽プレーヤが起動中でない場合は、他のアプリケーションプログラムの起動の有無を判別するために処理をステップＳ３に進める。
【００３７】
現在、音楽プレーヤが起動中であるとして処理をステップＳ１３に進めた場合、制御部１７は、現在再生中の音楽のアルバム名、曲名、歌手名等の楽曲情報を取得する。すなわち、メモリ１４や上記外付けメモリに記憶されている音楽データには、この音楽データのアルバム名、曲名、歌手名等を示す楽曲情報が付加されている。このため、制御部１７は、ステップＳ１３において、この音楽データに付加されている楽曲情報を取得してステップＳ１４に処理を進める。
【００３８】
この音楽データに付加されている楽曲情報は、文字情報として記憶されている。このため、ステップＳ１４では、制御部１７が、メモリ１４に記憶されている文字解析プログラムに基づいて、上記取得した楽曲情報を解析しキーワードの抽出を行う。具体的には、例えば現在、再生中の音楽の曲名が「野球ファンの歌」であった場合は、この文字解析プログラムに基づいて文字の解析を行うことで、例えば「野球」のキーワードが抽出されることとなる。制御部１７は、このキーワードの抽出を行うと、処理をステップＳ９に進め、この抽出したキーワードをキーワード記憶部１５に記憶制御する。
【００３９】
一方、上記ステップＳ２において、現在、音楽プレーヤの起動中ではないと判別することで処理をステップＳ３に進めると、制御部１７は、現在、ラジオ放送の受信中であるか否かを判別する。
【００４０】
すなわち、この携帯電話機の場合、ユーザによりラジオ放送の受信が指定されると、制御部１７は、メモリ１４に記憶されているラジオ信号処理プログラムに基づいて、ユーザにより指定された放送局のラジオ放送を受信するようにラジオ受信ユニット１３を制御する。これにより、ユーザにより指定された放送局のラジオ放送が、ラジオ受信ユニット１３により受信され、上記スピーカ部３や上記イヤホン装置等を介して当該ラジオ放送の音響出力が得られることとなる。制御部１７は、現在、ラジオ信号処理プログラムに基づいてラジオ受信ユニット１３を受信制御しているか否かを判別することで、現在、ラジオ放送の受信中であるか否かを判別し、ラジオ放送の受信中ではないと判別した場合は処理をステップＳ４に進め、ラジオ放送の受信中であると判別した場合は処理をステップＳ１５に進める。
【００４１】
ラジオ放送の受信中であると判別することで処理をステップＳ１５に進めると、制御部１７は、各ラジオ放送局の電子番組表（EPG：Electronic Program Guide）がメモリ１４に存在するか否かを判別する。すなわち、この電子番組表は、所定のＷｅｂサイトで提供されており、ユーザは、この電子番組表を予めダウンロードしてメモリ１４に記憶しておく。これにより、所望のタイミングでこの電子番組表を表示部５に表示することで、放送番組を確認可能とすることができる。ステップＳ１５では、制御部１７が、この電子番組表がメモリ１４に記憶されているか否かを判別し、電子番組表がメモリ１４に記憶されていると判別した場合には処理をステップＳ１７に進め、電子番組表がメモリ１４に記憶されていないと判別した場合には処理をステップＳ１６に進める。
【００４２】
電子番組表がメモリ１４に記憶されていると判別することで処理をステップＳ１７に進めると、制御部１７は、メモリ１４に記憶されているＥＰＧ解析プログラムに基づいて、該メモリ１４に記憶されている電子番組表を解析し、ステップＳ１８において、現在受信中のラジオ放送の番組内容に対応するキーワードを抽出する。そして、処理をステップＳ９に進め、この抽出したキーワードをキーワード記憶部１５に記憶制御する。
【００４３】
これにより、キーワード記憶部１５には、現在、受信中のラジオ放送を記載した電子番組表から検出された、該ラジオ放送に対応するキーワードが記憶されることとなる。例えば、現在、プロ野球中継のラジオ放送を受信している場合、電子番組表を解析することで「野球」等のキーワードが抽出され、キーワード記憶部１５に記憶されることとなる。
【００４４】
これに対して、電子番組表がメモリ１４に記憶されていないと判別することで処理をステップＳ１６に進めると、制御部１７は、現在、受信中のラジオ放送に文字情報が多重化されているか否かを判別する。すなわち、今日におけるラジオ放送には文字情報が多重化されていることが多々ある。このため、制御部１７は、電子番組表が存在しない場合には、現在、受信中のラジオ放送に文字情報が多重化されているか否かを判別する。そして、文字情報が多重化されている場合には処理をステップＳ１７に進め、文字情報が多重化されていない場合には処理をステップＳ７に進める。
【００４５】
ステップＳ１７では、現在、受信中のラジオ放送に文字情報が多重化されているため、制御部１７は、この多重化されている文字情報を検出し、メモリ１４に記憶されている文字解析プログラムに基づいて、この検出した文字情報の解析を行う。そして、ステップＳ１８において、この解析結果に基づいてキーワードの抽出を行い、ステップＳ９において、このキーワードをキーワード記憶部１５に記憶制御する。これにより、キーワード記憶部１５には、現在、受信中のラジオ放送に多重化されたいる文字情報から検出された、該ラジオ放送に対応するキーワードが記憶されることとなる。
【００４６】
また、現在、受信中のラジオ放送に文字情報が多重化されていない場合に処理をステップＳ７に進めると、制御部１７は、メモリ１４に記憶されている音声解析プログラムに基づいて、現在、受信しているラジオ放送の音声を解析し、ステップＳ８において、この解析した音声からキーワードの抽出を行う。そして、ステップＳ９において、このキーワードをキーワード記憶部１５に記憶制御する。これにより、キーワード記憶部１５には、現在、受信中のラジオ放送の音声から検出された、該ラジオ放送に対応するキーワードが記憶されることとなる。
【００４７】
一方、現在、ラジオ放送の受信中ではないと判別した場合、制御部１７は、処理をステップＳ４に進め、現在、テレビジョン放送の受信中であるか否かを判別する。すなわち、この携帯電話機の場合、ユーザによりテレビジョン放送の視聴が指定されると、制御部１７は、メモリ１４に記憶されているテレビジョン信号処理プログラムに基づいて、ユーザにより指定された放送局のテレビジョン放送を受信するようにテレビジョンユニット１１を制御する。これにより、ユーザにより指定されたチャネルのテレビジョン放送が、テレビジョンユニット１１により受信され、この受信されたテレビジョン画像が表示部５に表示制御されると共に、上記スピーカ部３や上記イヤホン装置等を介して当該チャネルの音声が得られることとなる。
【００４８】
制御部１７は、現在、テレビジョン信号処理プログラムに基づいてテレビジョンユニット１１を受信制御しているか否かを判別することで、現在、テレビジョン放送の受信中であるか否かを判別し、テレビジョン放送の受信中ではないと判別した場合は処理をステップＳ１９に進め、テレビジョン放送の受信中であると判別した場合は処理をステップＳ５に進める。
【００４９】
次に、ステップＳ１９に処理を進めたということは、現在、音楽プレーヤの起動中でもなく、また、ラジオ放送やテレビジョン放送の受信中でもないことを示す。このため、制御部１７は、ステップＳ１で検出したユーザにより入力された文字のみに基づいて予測変換辞書メモリ１６を検索し、この入力文字に対応する変換候補のうち、過去に選択された回数の多い変換候補から順に表示部５に表示する。
【００５０】
例えば、図２に示す例の場合、ユーザにより入力された「い」の文字に対応する変換候補は、「イエローカード」、「イタリア」、「インフレ」・・・等であるが、このうち、ユーザにより、過去に選択された回数の多い変換候補は、「インサイダー情報（選択回数９回）」、「インターネット（選択回数８回）」、「イエローカード（選択回数５回）」、「インフレ（選択回数２回）」・・・の順となる。このため、制御部１７は、この選択回数の多い順に、各変換候補を予測変換辞書メモリ１６から読み出し、これらを表示部５に表示制御する。これにより、ユーザにより入力された入力文字に対して選択される可能性の高い変換候補を順に表示することができ、ユーザの文字入力操作を容易化することができる。
【００５１】
これに対して、制御部１７は、現在、テレビジョン放送の受信中であると判別することで処理をステップＳ５に進めると、ユーザにより所定のＷｅｂサイトから予めダウンロードされている各テレビ放送局の電子番組表がメモリ１４に存在するか否かを判別し、この電子番組表がメモリ１４に記憶されていると判別した場合には処理をステップＳ１７に進め、電子番組表がメモリ１４に記憶されていないと判別した場合には処理をステップＳ６に進める。
【００５２】
電子番組表がメモリ１４に記憶されていると判別することで処理をステップＳ１７に進めると、制御部１７は、メモリ１４に記憶されているＥＰＧ解析プログラムに基づいて、該メモリ１４に記憶されている電子番組表を解析し、ステップＳ１８において、現在受信中のテレビジョン放送の番組内容に対応するキーワードを抽出する。そして、処理をステップＳ９に進め、この抽出したキーワードをキーワード記憶部１５に記憶制御する。
【００５３】
これにより、キーワード記憶部１５には、現在、受信中のテレビジョン放送を記載した電子番組表から検出された、該テレビジョン放送に対応するキーワードが記憶されることとなる。例えば、現在、サッカー中継のテレビジョン放送を受信している場合、電子番組表を解析することで「サッカー」等のキーワードが抽出され、キーワード記憶部１５に記憶されることとなる。
【００５４】
また、電子番組表がメモリ１４に記憶されていないと判別することで処理をステップＳ６に進めると、制御部１７は、現在、受信中のテレビジョン放送に文字情報が多重化されているか否かを判別する。すなわち、今日におけるテレビジョン放送には文字情報が多重化されていることが多々ある。このため、制御部１７は、電子番組表が存在しない場合には、現在、受信中のテレビジョン放送に文字情報が多重化されているか否かを判別する。そして、文字情報が多重化されている場合には処理をステップＳ１７に進め、文字情報が多重化されていない場合には処理をステップＳ７に進める。
【００５５】
ステップＳ１７では、現在、受信中のテレビジョン放送に文字情報が多重化されているため、制御部１７は、この多重化されている文字情報を検出し、メモリ１４に記憶されている文字解析プログラムに基づいて、この検出した文字情報の解析を行う。そして、ステップＳ１８において、この解析結果に基づいてキーワードの抽出を行い、ステップＳ９において、このキーワードをキーワード記憶部１５に記憶制御する。これにより、キーワード記憶部１５には、現在、受信中のテレビジョン放送に多重化されたいる文字情報から検出された、該テレビジョン放送に対応するキーワードが記憶されることとなる。
【００５６】
また、現在、受信中のテレビジョン放送に文字情報が多重化されていない場合に処理をステップＳ７に進めると、制御部１７は、メモリ１４に記憶されている音声解析プログラムに基づいて、現在、受信しているテレビジョン放送の音声を解析し、ステップＳ８において、この解析した音声からキーワードの抽出を行う。そして、ステップＳ９において、このキーワードをキーワード記憶部１５に記憶制御する。これにより、キーワード記憶部１５には、現在、受信中のテレビジョン放送の音声から検出された、該テレビジョン放送に対応するキーワードが記憶されることとなる。
【００５７】
次に、上述のように、現在、音楽プレーヤで再生中の音楽データに対応するキーワードが抽出され、また、現在、受信中のラジオ放送やテレビジョン放送の放送内容に対応するキーワードが抽出され、このキーワードがキーワード記憶部１５に記憶された場合、制御部１７は、ステップＳ１０において、このキーワード記憶部１５に記憶されているキーワードを読み出す。そして、この読み出したキーワードと、上記ステップＳ１で検出したユーザにより入力された文字に対応する変換候補を、上記予測変換辞書メモリ１６から検索し、ステップＳ１１において、この検索した変換候補を表示部５に表示制御する。
【００５８】
具体的には、例えば音楽プレーヤで、現在、再生中の音楽の曲名が「野球ファンの歌」であることから「野球」のキーワードが抽出され、ユーザにより「ふ」の文字が入力された場合、制御部１７は、図２に示す「ふ」の入力文字に対応する各変換候補のうち、「野球」の検索用タグが付されている変換候補を検索し、これを表示部５に表示制御する。
【００５９】
すなわち、この例の場合、「ふ」の入力文字に対応する各変換候補としては、「ファインセーブ」、「ファウル」、「ファーボール」、「ファースト」、「フォートポリオ」・・・等が存在するが、制御部１７は、このうち、「野球」の検索用タグが付されている「ファウル」、「ファーボール」、「ファースト」の各変換候補を、優先的に表示する変換候補として検索する。
【００６０】
次に、制御部１７は、このように変換候補を検索すると、ステップＳ１１において、この検索した変換候補を表示部５に表示制御する。図４（ａ）〜（ｃ）に、各変換候補の表示例を示す。図４（ａ）は、例えばテレビジョンユニット１１でサッカー競技の視聴中に、ユーザにより「い」の文字の入力が指定された場合の変換候補の表示例である。この場合、「い」の入力文字に対して、「サッカー」のキーワードに対応する「イエローカード」及び「イタリア」の変換候補が検索されることとなるため（図２参照）、この検索された「イエローカード」及び「イタリア」の各変換候補が、図４（ａ）に示すように表示部５に表示制御されることとなる。
【００６１】
同様に、図４（ｂ）は、例えばラジオ受信ユニット１３で株価情報を聴いている際に、ユーザにより「い」の文字の入力が指定された場合の変換候補の表示例である。この場合、「い」の入力文字に対して、「経済」のキーワードに対応する「インフレ」及び「インサイダー情報」の変換候補が検索されることとなるため（図２参照）、この検索された「インフレ」及び「インサイダー情報」の各変換候補が、図４（ｂ）に示すように表示部５に表示制御されることとなる。
【００６２】
同様に、図４（ｃ）は、例えばテレビジョンユニット１１でプロ野球中継の視聴中に、ユーザにより「ふ」の文字の入力が指定された場合の変換候補の表示例である。この場合、「ふ」の入力文字に対して、「野球」のキーワードに対応する「ファウル」、「ファーボール」及び「ファースト」の変換候補が検索されることとなるため（図２参照）、この検索された「ファウル」、「ファーボール」及び「ファースト」の各変換候補が、図４（ｃ）に示すように表示部５に表示制御されることとなる。
【００６３】
なお、制御部１７は、このように優先的に表示する各変換候補のうち最後尾に表示する変換候補に続けて、ユーザにより入力された文字に対応する各変換候補（＝視聴中のテレビジョン放送の内容等に関連しない変換候補）を、過去に選択された回数の多い順に並べ、これらを上記優先的に表示される変換候補に続けて表示するようになっている。
【００６４】
次に、制御部１７は、このような変換候補の表示処理を行うと処理をステップＳ１２に進め、操作部６の操作状態に基づいて、ユーザにより文字入力操作の終了が指定されたか否かを判別する。すなわち、ユーザは、操作部６を介して文字入力操作の終了を指定するため、制御部１７は、この操作部６の操作状態を監視することで、ユーザにより文字入力操作の終了が指定されたか否かを判別する。そして、ユーザにより文字入力操作の終了が指定されていない場合は処理をステップＳ１に戻し、上述の変換候補の表示動作を繰り返し実行し、ユーザにより文字入力操作の終了が指定された場合には、そのままこの図３のフローチャートに示す処理を終了する。
【００６５】
このように、ユーザにより入力された文字に対応する変換候補の中から、現在、起動中のアプリケーションプログラム、音楽プレーヤで現在再生中の音楽、テレビジョンユニット１１で現在受信中のテレビジョン放送の内容、或いはラジオ受信ユニット１３で現在受信中のラジオ放送の内容に対応する変換候補を検索して表示することで、現在、ユーザにより選択される可能性の高い変換候補を優先的に表示することができる。このため、ユーザの文字入力操作を容易化することができる。
【００６６】
〔選択回数に基づく並べ替え表示〕
ここで、このキーワードに基づいて検索した「ファウル」、「ファーボール」、「ファースト」の各変換候補をそのまま表示部５に表示してもよいのであるが、これら変換候補の過去の選択回数を見ると、「ファウル」の変換候補が過去９回選択されており、「ファーボール」の変換候補が過去１回選択されており、「ファースト」の変換候補が過去５回選択されている。
【００６７】
このため、制御部１７は、上記キーワードに対応する変換候補を検索すると、この検索した各変換候補の過去の選択回数を検出し、この選択回数が多い順に各変換候補の表示順序を並べ替えて表示部５に表示制御する。
【００６８】
すなわち、この例の場合、制御部１７は、過去９回選択されている「ファウル」の変換候補を一番最初に位置させ、過去５回選択されている「ファースト」の変換候補を２番目に位置させ、過去１回選択されている「ファーボール」の変換候補を３番目に位置させるように、各変換候補の表示位置の並べ替え処理を行い、この並べ替え処理を行った順序で、上記キーワードに基づいて検索された各変換候補を表示部５に表示制御する。
【００６９】
このように、現在、起動中のアプリケーションプログラムや現在受信中のテレビジョン放送の内容等に応じた変換候補を検索して表示する際に、該検索された各変換候補を、過去の選択回数順に並べ替えて表示することで、上記検索された各変換候補を、ユーザにより、より選択される可能性の高い順に並べ替えて表示することができる。このため、ユーザの文字入力操作のさらなる容易化を図ることができる。
【００７０】
［実施の形態の効果］
以上の説明から明らかなように、当該実施の形態の携帯電話機は、ユーザにより入力された文字に対応する変換候補の中から、現在、起動中のアプリケーションプログラム、音楽プレーヤで現在再生中の音楽、テレビジョンユニット１１で現在受信中のテレビジョン放送の内容、或いはラジオ受信ユニット１３で現在受信中のラジオ放送の内容に対応する変換候補を検索して表示する。これにより、現在、ユーザにより選択される可能性の高い変換候補を優先的に表示することができ、ユーザの文字入力操作を容易化することができる。
【００７１】
すなわち、例えばプロ野球中継を視聴しながら携帯メールを作成する場合、携帯メールの内容が野球に関連するものとなる可能性が高いのであるが、このような場合、当該携帯電話機においては、「野球」に関連する変換候補を優先的に表示することができるため、ユーザの文字入力操作を容易化することができる。
【００７２】
また、当該携帯電話機においては、現在、起動中のアプリケーションプログラムや現在受信中のテレビジョン放送の内容等に応じた変換候補を検索して表示する際に、該検索された各変換候補を、過去の選択回数順に並べ替えて表示している。このため、上記検索された各変換候補を、ユーザにより、より選択される可能性の高い順に並べ替えて表示することができる。このため、ユーザの文字入力操作のさらなる容易化を図ることができる。
【００７３】
［変形例］
上述の実施の形態の説明では、本発明を携帯電話機に適用することとしたが、本発明は、ＰＨＳ電話機（PHS：Personal Handyphone System）、ＰＤＡ装置（PDA：Personal Digital Assistant）、ノート型のパーソナルコンピュータ装置等の携帯端末装置の他、デスクトップ型のパーソナルコンピュータ装置等の端末装置に適用してもよい。
【００７４】
また、上述の実施の形態の説明では、本発明を適用した携帯電話機は、テレビジョンユニット１１及びラジオ受信ユニット１３を備えることとしたが、いずれか一方のみを備えるようにしてもよい。
【００７５】
また、テレビジョンユニット１１及びラジオ受信ユニット１３の両方を備えていなくても、例えば現在、起動中のアプリケーションプログラムが「電話帳」のアプリケーションプログラムである場合には、この「電話帳」で使用される可能性の高い変換候補を優先的に表示し、現在、起動中のアプリケーションプログラムが「スケジュール帳」のアプリケーションプログラムである場合には、この「スケジュール帳」で使用される可能性の高い変換候補を優先的に表示する等のように、現在起動中のアプリケーションプログラムに対応するキーワードを検出し、このキーワードに対応する変換候補を優先的に表示してもよい。この場合でも、上述と同じ効果を得ることができる。
【００７６】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００７７】
【図１】本発明を適用した実施の形態の携帯電話機のブロック図である。
【図２】実施の形態の携帯電話機の予測変換辞書メモリに記憶されている各変換候補と、該各変換候補に付されたキーワード検索用のタグを説明するための図である。
【図３】実施の形態の携帯電話機の変換候補の表示動作の流れを示すフローチャートである。
【図４】実施の形態の携帯電話機における各変換候補の表示例を示す図である。
【符号の説明】
【００７８】
１  アンテナ、２  通信回路、３  スピーカ部、４  マイクロホン部、５  表示部、６  操作部、７  発光部（ＬＥＤ）、８  カメラ部、８  バイブレーションユニット、１０  テレビジョンアンテナ、１１  テレビジョンユニット、１２  ラジオアンテナ、１３  ラジオ受信ユニット、１４  メモリ、１５  キーワード記憶部、１６  予測変換辞書メモリ、１７  制御部
【図１】
2006301693.tif 000003
【図２】
2006301693.tif 000004
【図３】
2006301693.tif 000005
【図４】
2006301693.tif 000006